(57)【要約】【課題】外部の機器や通信ユニットに警報通報装置から電源を供給して、停電中でも、監視対象設備の状態をモニタできるようにするとともに、通信可能とし、かつ、装置全体を小形化した警報通報装置を提供する。【解決手段】監視対象設備２２の監視機器２１の動作信号により監視対象設備２２の異常を検知する異常検知回路１２１と、通信プログラムを実行するＣＰＵ１２２と、通信プログラムを保存するメモリ部１２３と、電源回路１１１及びバッテリ１３と、これらを収納する筐体１４とを備える警報通報装置において、筐体１４は、電源回路１１１及びバッテリ１３に接続された１対の外部用電源端子１４２ａ、ｂと、異常検知回路１２１に接続された１対の外部監視端子１４３ａ、ｂとを備える。【選択図】　　　　図１
2004120383.tif 000002
【特許請求の範囲】
【請求項１】
監視対象設備の監視機器の動作信号により該監視対象設備の異常を検知する異常検知回路と、通信プログラムを実行するＣＰＵと、通信プログラムを保存するメモリ部と、電源回路及びバッテリと、これらを収納する筐体とを備える警報通報装置において、
前記筐体は、電源回路及びバッテリに接続された１対の外部用電源端子と、異常検知回路に接続された１対の外部監視端子とを有することを特徴とする警報通報装置。
【請求項２】
請求項１記載の警報通報装置において、
上記筐体の一方の外部用電源端子及び一方の外部監視端子は、それぞれ監視機器に接続されることを特徴とする警報通報装置。
【請求項３】
請求項２記載の警報通報装置において、
上記筐体の他方の外部用電源端子と他方の外部監視端子とは、接続部材で接続されることを特徴とする警報通報装置。
【請求項４】
請求項１〜３のいずれか１項に記載の警報通報装置において、
上記筐体は、ＣＰＵに接続された外付けモデム用通報端子を有することを特徴とする警報通報装置。
【請求項５】
請求項４記載の警報通報装置において、
上記筐体の外付けモデム用通報端子は、１対の外部用電源端子を介して電源供給を受ける外付け通信ユニットに接続されることを特徴とする警報通報装置。
【発明の詳細な説明】
【０００１】
【発明の属する技術分野】
本発明は、上下水道の給水、配水設備や、産業用の生産設備、販売データ収集設備等を監視する技術に関する。
【０００２】
【従来の技術】
監視対象の設備を監視し、異常等が発生したときに通報先に警報を通報する装置として、警報通報装置が使用される（例えば、特許文献１、２参照）。従来、警報通報装置本体と外部の機器や通信ユニット（モデムや携帯電話など）は、別個の部品からなっているため、停電が発生した時には、警報通報装置自体は、内部の電池で動作しても、外部の機器や通信ユニットには電源が供給されなくなるため、動作させることができなかった。
【０００３】
また、停電中にも動作させるために、無停電電源装置を設置して外部の機器や通信ユニットの電源をバックアップすると、無停電電源装置も含めた装置全体が大きくなるとともに、無停電電源装置は高温の環境下での寿命が短いため、屋外に設置する制御盤の中で使用することには問題があった。
【０００４】
モデムを内蔵し、充電式電池を備える従来の警報通報装置１´は、図４に示すように、電源基板１１´、ＣＰＵ基板１２´、充電式電池１３´及び筐体１４´からなっていた。電源基板１１´は、電源回路１１１´、充電回路１１２´、停電検出回路１１３´を有する。ＣＰＵ基板１２´は、Ｉ／Ｏ（入出力回路）１２１´、ＣＰＵ１２２´、フラッシュメモリ１２３´、内蔵モデム１２４´及び状態表示ＬＥＤ１２５´を有する。筐体１４´は、電源端子１４１ａ´、ｂ´、外部用電源端子１４２´、外部監視端子１４３´、内蔵モデム用端子１４４´を有する。外部電源のＡＣ１００Ｖ又はＡＣ２００Ｖは、電源端子１４１ａ´、ｂ´から入力され、充電式電池１３´を充電し、また、外部用電源端子１４２´を介して監視機器２１´に供給される。入出力回路１２１´は、監視機器２１´の動作信号を外部監視端子１４３´から受取り、監視対象設備２２´の異常を検知する。異常が検知されると、ＣＰＵ１２２´は、内蔵モデム１２４´を使用し、通信回線５´を介して通報先３２´に異常発生を通報する。停電時は、充電式電池１３´からの電源が監視機器２１´に供給される。しかしながら、従来の警報通報装置１´は、外部用電源端子１４２´を１個しか有しないため、外付け通信ユニットや外部機器に電源を供給することができず、別電源を用意することとなり、停電時に通信ユニットや外部機器の使用はできなかった。
【０００５】
【特許文献１】
特開平１１−２０５４７１号公報
【特許文献２】
特開２００２−２５２８８５号公報
【０００６】
【発明が解決しようとする課題】
本発明は、従来の問題を解決するものであり、外付け通信ユニットや外部機器に警報通報装置からの電源供給を可能としたり、また、停電中でも監視対象設備の状態をモニタできるようにし、また、通信可能とし、または、装置全体を小形化した警報通報装置を提供することを目的とする。
【０００７】
【課題を解決するための手段】
本発明は、監視対象設備の監視機器の動作信号により該監視対象設備の異常を検知する異常検知回路と、通信プログラムを実行するＣＰＵと、通信プログラムを保存するメモリ部と、電源回路及びバッテリと、これらを収納する筐体とを備える警報通報装置において、前記筐体は、電源回路及びバッテリに接続された１対の外部用電源端子と、異常検知回路に接続された１対の外部監視端子とを有する警報通報装置である。
【０００８】
また、本発明は、上記筐体の一方の外部用電源端子及び一方の外部監視端子は、それぞれ監視機器に接続される警報通報装置である。
【０００９】
そして、本発明は、上記筐体の他方の外部用電源端子と他方の外部監視端子とは、接続部材で接続される警報通報装置である。
【００１０】
更に、本発明は、上記筐体は、ＣＰＵに接続された外付けモデム用通報端子を有する警報通報装置である。
【００１１】
また、本発明は、上記筐体の外付けモデム用通報端子は、１対の外部用電源端子を介して電源供給を受ける外付け通信ユニットに接続される警報通報装置である。
【００１２】
【発明の実施の形態】
本発明の実施の形態を説明する。
本発明の警報通報装置の実施例について、図１〜図３を用いて説明する。図１は、実施例１の警報通報装置の説明図である。図２は、実施例２の警報通報装置の説明図である。図３は、実施例３の警報通報装置の説明図である。
【００１３】
実施例１を説明する。本実施例の警報通報装置１は、図１に示すように、電源基板１１、ＣＰＵ基板１２、充電式電池１３及び筐体１４からなる。電源基板１１は、電源回路１１１、充電回路１１２、停電検出回路１１３等を有しており、ＡＣ１００ＶまたはＡＣ２００Ｖ電源が供給され、電源回路１１１でＤＣ電源（ＶＣＣ）が作られる。ＤＣ電源は、ＣＰＵ基板１２、内蔵モデム１２４、充電式電池１３等に供給される。
【００１４】
ＣＰＵ基板１２には、Ｉ／Ｏ（入出力回路）１２１、ＣＰＵ１２２、フラッシュメモリ・ＲＡＭ（メモリ）１２３、状態表示用のＬＥＤ１２５等がある。ＣＰＵ基板１２の回路では、警報通報装置１のプログラムが動作し、監視対象の設備の運転状態の信号を取り込む。
【００１５】
筐体１４には、電源端子１４１ａ、ｂ、外部用電源端子１４２ａ、ｂ、外部監視端子１４３ａ、ｂ、内蔵モデム用通報端子１４４、コネクタからなる外付けモデム用通報端子１４５を有する。
【００１６】
本実施例の警報通報装置１は外付けモデム（通信ユニット）３１を採用しており、モデム３１は警報通報装置１から電源供給を受けることができる。モデム３１は、外部用電源端子１４２ａ、ｂを介して電源基板１１に接続される。モデム３１は、ＲＳ２３２Ｃケーブル４２及び外付けモデム用通報端子１４５によりＣＰＵ１２２と接続される。また、モデム３１は、通信回線５に接続される。モデム３１は、ＣＰＵ１２２からの信号を通信回線５上に流すとともに、通信回線５から送られてくる信号をＣＰＵ１２２に送出する。
【００１７】
監視対象設備２２を監視する監視機器２１の動作信号は、ＣＰＵ基板１２上のＩ／Ｏ１２１を介して、ＣＰＵ１２２に入力される。これにより、ＣＰＵ１２２は監視対象設備２２の状態をモニタする。図１に示すように、Ｉ／Ｏ１２１は、例えば、発光ダイオードとフォトトランジスタを有するように構成することができる。監視機器２１から得られた信号の状態に応じて、Ｉ／Ｏ１２１内の発光ダイオードが発光し又は発光しない。この発光の有無は、フォトトランジスタにて検出され、ＣＰＵ１２２に送出されることで、ＣＰＵ１２２は、監視対象設備２２の状態をモニタすることが可能となる。なお、監視対象設備２２の監視機器２１と接続される発光ダイオードは、発光させるためには駆動用の電源を必要とする。
【００１８】
図４に示す従来方式の例では、発光ダイオードの駆動用の電源を装置内部から供給できるように、内部結線させている。こうすることで、駆動用の電源を不要とするものである。ところで、この場合には、内部結線にて供給される電源が固定されてしまうので、不便な場合がある。それは、監視対象設備が遠くある場合には、発光ダイオードに接続するための接続線の長さを長くする必要がある。この接続線の長さによっては、内部接続の電源の駆動電力が小さいために発光ダイオードを駆動できない場合が生ずる。しかしながら、予め内部接続されているために、電源を発光ダイオードが駆動できるものに変更できないという問題がある。
【００１９】
一方、本実施例では、図１で示すように、Ｉ／Ｏ１２１の外部監視端子１４３ｂに発光ダイオードが接続されており、発光させるための電源を接続させる必要があるものの、接続する電源の駆動電力の大きさは、自由に変えることができる。
【００２０】
したがって、上述のように接続線が長くなった場合であっても、図１の構成であれば、発光ダイオードを発光させることができる駆動電力を有する電源を接続することができる。
【００２１】
なお、図１に示すように、警報通報装置１の１対の外部用電源端子１４２ａ、ｂには、バッテリ１３が接続されているので、一方の外部用電源端子１４２ａ及びＩ／Ｏ１２１と接続した一方の外部監視端子１４３ｂと監視機器２１とを図１のように接続し、そして、他方の外部用電源端子１４２ｂと他方の外部監視端子１４３ａとを接続部材４１で接続することで、監視対象設備２２のモニタが可能となる。なお、接続部材４１は、警報通報装置１の内部に設けることも可能である。
【００２２】
実施例１において、停電時には、充電式電池１３に蓄えられていた電力がＣＰＵ基板１２に供給されるため、警報通報装置１は、ＡＣ１００Ｖ又はＡＣ２００Ｖの電源供給が止まっても、動作することができる。また、警報通報装置１の外部にある外付けモデム３１にも電源が供給される。これにより、警報通報装置１及びモデム３１は、無停電電源装置がなくとも、停電中も動作し、遠隔の通報先のコンピュータ３２と通信することができる。警報通報装置１の内部に、警報の履歴がデータとして記録されているため、遠隔のコンピュータ３２と警報通報装置１との通信が可能なため、遠隔地から、警報履歴をみることができる。特に、停電が発生したのかを、警報履歴から確認できるため、停電が長時間継続していて重大の状態であるのか、停電が発生したばかりの軽度の状態であることを確認でき、遠隔地にいるメンテナンス担当者が警報履歴のデータから設備の状態を確認することができる。
【００２３】
特に、上下水道の設備の監視をする場合には、設備が、山間部のダムや人家の少ない場所に設置される場合が多く、停電が発生しやすい場所に設置されることになるため、停電中の通信機能は重要である。
【００２４】
実施例１では、モデム３１を警報通報装置１の外側に設置している。通信回線５が新規の場合には、この構造が優位である。まず、従来タイプの通信回線を使用した警報監視装置の場合は、モデムの種類が長期にわたって安定しており、警報通報装置内部にモデムを内蔵ずることが可能である。この場合は、警報通報装置の内部の電池のバッテリでモデムの停電バックアップが容易である。これに対して、通信回線が新規の場合、モデムも通信回線にあわせて、新規のモデムになる場合が多い。この場合、警報通報装置の内部にモデムを持つ構造とすると通信回線が変化することにモデムを変更する必要が生じ、モデムを内蔵することは困難であり、モデムは警報通報装置の外側に設置される。従って、実施例１のようにモデムを外付けとすることで、通信回線の変化を含め、使用状況に対し、柔軟な対応を可能とするメリットがある。
【００２５】
実施例２を説明する。本実施例は、図２に示すように、実施例１と同様であるが、実施例２では、外付けモデム３１の代りに内蔵モデム１２４を使用し、内蔵モデム用通報端子１４４及び通信回線５を介して通報先３２との通信を行う点で相違する。監視対象設備２２の監視機器２１の接点を外部用電源端子１４２ａに接続して電源を給電している。この場合、停電中でもバッテリ１３の電源で監視機器２１の接点がオンしているか、オフしているかを検出することができ、停電中であっても監視対象設備２２の状態（接点のオン、オフ）を警報通報装置１がモニタすることができる。そして、内蔵モデム１２４により、通報先３２と通信することができる。
【００２６】
実施例３を説明する。本実施例も実施例１と同様であるが、実施例３では、監視対象設備２２の監視機器２１の動作信号がシーケンサ２３に入力される点で相違する。本実施例でも、外付けモデム３１は、電源基板１１に外部用電源端子１４２ａ、１４２ｂを介して接続され、また、ＣＰＵ１２２にＲＳ２３２Ｃケーブルを使用し外付けモデム用通報端子１４５を介して接続される。モデム３１は、停電時にバックアップされる。なお、図３には図示しないが、シーケンサ２３と警報通報装置１とは、ＲＳ２３２Ｃ、イーサネット（登録商標）等の通信手段を用いて通信される。
【００２７】
【発明の効果】
本発明によれば、外付け通信ユニットや外部機器に警報通報装置からの電源供給を可能としたり、また、停電中でも監視対象設備の状態をモニタできるようにし、また、通信可能とし、または、装置全体を小形化した警報通報装置を得ることができる。
【図面の簡単な説明】
【図１】実施例１の警報通報装置の説明図。
【図２】実施例２の警報通報装置の説明図。
【図３】実施例３の警報通報装置の説明図。
【図４】従来例の警報通報装置の説明図。
【符号の説明】
１　警報通報装置
１１　電源基板
１１１　電源回路
１１２　充電回路
１１３　停電検出
１１４　ダイオード
１２　ＣＰＵ基板
１２１　Ｉ／Ｏ
１２２　ＣＰＵ
１２３　フラッシュメモリ
１２４　内蔵モデム
１２５　状態表示ＬＥＤ
１３　充電式電池
１４　筐体
１４１ａ、ｂ　電源端子
１４２ａ、ｂ　外部用電源端子
１４３ａ、ｂ　外部監視端子
１４４　内蔵モデム用通報端子
１４５　外付けモデム用通報端子
２１　監視機器
２２　監視対象機器
３１　外付けモデム
３２　通報先
４１　接続線
４２　Ｒ２３２Ｃケーブル
５　通信回線
【図１】
2004120383.tif 000003
【図２】
2004120383.tif 000004
【図３】
2004120383.tif 000005
【図４】
2004120383.tif 000006